【事件の表示】
　特許第３３４８７２４号「映像信号記録装置」の請求項１に係る特許に対する特許異議の申立てについて、次のとおり決定する。
【結　論】
　訂正を認める。
　特許第３３４８７２４号の請求項１に係る特許を維持する。
【理　由】
１．特許第３３４８７２４号の請求項１に係る発明についての出願は、平成２年７月３０日に特許出願され、平成１４年９月１３日にその特許について特許権の設定登録がなされ、その後、その特許について、異議申立人小塚浩より特許異議の申立てがなされ、取消しの理由が通知され、その指定期間内である平成１５年１１月４日に訂正請求（後日取下げ）がなされた後、再度取消しの理由が通知され、その指定期間内である平成１５年１２月１０日に訂正請求がなされたものである。
　
２．訂正の適否についての判断
（１）訂正の内容
　　特許権者が求めている訂正の内容は以下ａ〜ｃのとおりである。
　ア．訂正事項ａ
　　特許請求の範囲の請求項１中の「一時記憶する上記メモリ手段の空きが無くなった場合、空きが無いことを上記ビューファインダ内に表示する」との記載を、特許請求の範囲の減縮及び明りょうでない記載の釈明を目的として、「
連続撮影するときに、一時記憶する上記メモリ手段に記憶された静止画像データの、上記記録媒体への記録が完了していないために、上記メモリ手段に静止画像データが残っていることで、
　イ．訂正事項ｂ
　　特許請求の範囲の請求項１中の「ビューファインド」との記載を、誤記の訂正を目的として「ビューファイン
ダ
　ウ．訂正事項ｃ
　　特許明細書（特許公報）第２頁第４欄第１５行〜第１７行の「一時記憶するメモリ手段の空きが無くなった場合、空きが無いことをビューファインダ内に表示するようにしたものである。」を明りょうでない記載の釈明を目的として、「
連続撮影するときに、一時記憶する上記メモリ手段に記憶された静止画像データの、上記記録媒体への記録が完了していないために、上記メモリ手段に静止画像データが残っていることで、
（２）訂正の目的の適否、新規事項の有無及び拡張・変更の存否
　以下、上記訂正事項ａ〜ｃについて検討する。
　上記訂正事項ａは、願書に添付した明細書（以下「特許明細書」という。）における「短時間に３回以上連続的に静止画スイッチ（４２）が押されたときには、メモリ容量を超えてしまい全ての記録はできないが、この旨をビューファンダ内等に表示するようにしても良い。」との記載に基づいて、特許明細書の請求項１の「一時記憶するメモリ手段の空きが無くなった場合、空きが無いことをビューファインダ内に表示する」を「連続撮影するときに、一時記憶する上記メモリ手段に記憶された静止画像データの、上記記録媒体への記録が完了していないために、上記メモリ手段に静止画像データが残っていることで、上記メモリ手段の空きが無くなった場合、空きが無いことを上記ビューファインダ内に表示する」と限定したものであるので、特許請求の範囲の減縮を目的とする訂正に該当する。
　上記訂正事項ｂは、誤記の訂正を目的とする訂正に該当する。
　上記訂正事項ｃは、上記訂正事項ａと整合を図るものであるから、明りょうでない記載の釈明を目的とした明細書の訂正に該当する。
　そして、上記訂正事項ａ〜ｃは、いずれも特許明細書に記載されている事項の範囲内のものであり、新規事項の追加に該当せず、また実質上特許請求の範囲を拡張し、又は変更するものでない。
（３）以上のとおりであるから、上記訂正は、特許法第１２０条の４第２項及び第３項において準用する平成６年法律第１１６号による改正前の特許法第１２６条第１項ただし書、第２項及び第３項の規定に適合するので、当該訂正を認める。
　
３．特許異議の申立てについての判断
（１）申立ての理由の概要
　異議申立人小塚浩は、証拠として、
甲第１号証：特開昭６４−１０７８４号公報（以下「刊行物１」という。）
甲第２号証：特開昭６３−９３８１号公報（以下「刊行物２」という。）
甲第３号証：特開平２−１００５７９号公報（以下「刊行物３」という。）
を提出し、特許請求の範囲の請求項１に係る発明についての特許は、特許法第２９条第２項の規定に違反してなされたものであるから、特許を取り消すべき旨、主張している。
（２）本件発明
　上記２．で示したように上記訂正が認められるから、本件の請求項１に係る発明（以下「本件発明」という。）は、上記訂正に係る訂正明細書の特許請求の範囲の請求項１に記載された次のとおりのものである。
「【請求項１】静止画像データを出力する撮像手段と、
　ビューファイン
ダ
　上記静止画像データをデジタル変換するデジタル変換手段と、
　上記デジタル変換された静止画像データを処理して輝度信号と色信号を生成する信号処理手段と、
　上記撮像手段から任意のタイミングで得られ、上記信号処理された静止画像データをビットリダクションするビットリダクション手段と、
　上記ビットリダクションされた静止画像データを複数枚分一時記憶するメモリ手段と、
　上記メモリ手段から上記ビットリダクションされた静止画像データを読み出すメモリコントロール手段と、
　上記メモリ手段から読み出された上記ビットリダクションされた静止画像データを所定の記録媒体に順次記録する記録手段と、
　を備え、
　
連続撮影するときに、一時記憶する上記メモリ手段に記憶された静止画像データの、上記記録媒体への記録が完了していないために、上記メモリ手段に静止画像データが残っていることで、
（３）刊行物記載の発明
　本件発明に対して、当審が通知した取消しの理由において引用した刊行物１には、
「電子スチルカメラ」（発明の名称）に関し、図面と共に次の（３−１）〜（３−４）のとおりの記載がある。
（３−１）「この電子スチルカメラは撮像素子からの出力信号にγ補正やＡＧＣ（自動利得制御）等の前処理を施した上で色信号を分離し、輝度信号（Ｙ）及び色差信号（Ｒ−Ｙ及びＢ−Ｙ）を取り出している。次にこれら信号をそれぞれ周波数変調し（Ｒ−Ｙ及びＢ−Ｙについては１水平走査線毎に交互に伝送する線順次信号としてから周波数変調する）、多重した後にいわゆるスチルビデオフロッピ−（磁気ディスク）に記録するようになっている。 」（１頁右下欄１２行〜２０行）
（３−２）「再生前置増幅／ＣＤＳ回路（4）では信号の増幅及び相関２重サンプリングがなされる。さらにこの回路（4）の出力はγ補正／ＡＧＣ回路（5）にてγ補正及びレベル調整がなされる。Ａ／Ｄ変換部（11）では画素毎にＡ／Ｄ変換がなされるが、各画素８ビットでＡ／Ｄ変換すれば、Ｓ／Ｎは４７ｄＢを確保でき、γ補正を考慮すると十分な画質を得ることができる。Ａ／Ｄ変換された映像信号はモード信号発生回路（18）により高画質記録をするか、あるいは撮影枚数を増やすために若干画質を落として記録するかが選択されて処理される。すなわち、後者のモードが選択された場合にはＡ／Ｄ変換出力は帯域圧縮信号処理回路（12）にて帯域が圧縮され、バッファ（13）を介してモードを識別する信号と共に内蔵メモリ（14）に高速（リアルタイム）で記録される。」（２頁右下欄１６行〜３頁左上欄１０行）
（３−３）「内蔵メモリ（14）は例えばダイナミックＲＡＭ（ランダムアクセスメモリ）で構成されている。そして画像を５，６枚程度連続して記録できる容量（例えば１０Ｍビット）を持っており、かつまた前述したように高速書込みが可能であることからいわゆる連写の撮影（０．１秒／枚程度）にも絶え得る。内蔵メモリ（14）に記録された信号は撮影の終了したあとで、内蔵メモリ（14）が動作していないタイミングの間に順次メモリカード（15）中のメモリに書込まれ、記録される。」（３頁左上欄１７行〜右上欄６行）
（３−４）「内蔵メモリ（14）からメモリカード（15）に画像信号が転送され、最終的にメモリカード（15）の記録容量が一杯になったときは内蔵メモリ（14）にのみ新しい画像信号が記録されていく（メモリカード（15）へは転送されない）。そしてこのメモリ（14）の記録容量が一杯となったところで制御回路（8）からは撮影予定枚数終了の信号が出力され、表示器（23）にそのサインが出る。撮影者はこれを見てメモリカード（15）をカメラ（24）から取外し、未記録のメモリカードを交換に装着することになる。」（３頁左下欄２行〜１１行）
　同じく刊行物２には、「磁気記録装置」（発明の名称）に関し、図面と共に次の（３−５）のとおりの記載がある。
（３−５）「ＰＣＭ静止画記録ランプ６４は、ファインダ内に設けられるもので、ＰＣＭ静止画記録が行われているときに点灯して静止画記録中であることを表示する。またシステムコントローラ６０は、カメラ筐体外側のＰＣＭオーディオ記録ボタン６３に応動し、スイッチ７６を端子７６ｂに切り替えてＰＣＭオーディオ記録モードにするとともに、ファインダ内のＰＣＭオーディオ記録ランプ６５を点灯させる。」（７頁左下欄３行〜１１行）
　同じく刊行物３には、「カメラの撮影可能残量表示装置」（発明の名称）に関し、図面と共に次の（３−６）のとおりの記載がある。
（３−６）「トラック残量表示器４２はファインダ視野内に設けられていて、２桁の７セグメントＬＣＤからなり、通常は記録可能トラック数を数字で表示する。さらにトラック残量表示器４２は、記録可能トラック数が所定量よりも少なくなったときには点滅して、光学的警告手段としての機能をも果たす。なお、警告手段として作動するときには、通常の記録可能トラック数表示のときとは異なる色彩で発光する構成でもよい。」（３頁右下欄１８行〜４頁左上欄６行）
（４）対比・判断
　本件発明と刊行物１ないし３に記載された発明とを対比すると、刊行物１ないし３に記載された発明は、本件発明における次に掲げる主要な事項を具備していなし、刊行物１ないし３には、この主要な事項を示唆する記載もなされていない。
「連続撮影するときに、一時記憶する上記メモリ手段に記憶された静止画像データの、上記記録媒体への記録が完了していないために、上記メモリ手段に静止画像データが残っていることで、上記メモリ手段の空きが無くなった場合、空きが無いことを上記ビューファインダ内に表示する」点。
　即ち、刊行物１に記載された発明は、メモリカードの記録容量が一杯になったときに内蔵メモリへの撮影終了を表示器に表示するものであり、また、刊行物２ないし３には上記事項は記載も示唆もないのであるから、刊行物１ないし３に記載された発明を組み合わせたとしても本件発明の上記主要な事項を導き出すことはできない。
　そして、本件発明は、上記主要な事項により、明細書記載の作用効果を奏するものである。
　なお、異議申立人が提出した参考資料１には、ファインダーをビューファインダーともいうとの記載はあるが、本件発明の上記主要な事項については記載が無く、また、示唆する記載もなされていない。
　したがって、本件発明は、刊行物１ないし３に記載された発明に基づいて当業者が容易に発明をすることができたものとはいえない。
（５）むすび
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１５年１２月１７日（２００３．１２．１７）
【訂正の要旨】
審決（決定）の【理由】欄参照。
（５４）【発明の名称】
映像信号記録装置
（５７）【特許請求の範囲】
　【請求項１】　静止画像データを出力する撮像手段と、
　ビューファイン
ダ
　上記静止画像データをデジタル変換するデジタル変換手段と、
　上記デジタル変換された静止画像データを処理して輝度信号と色信号を生成する信号処理手段と、
　上記撮像手段から任意のタイミングで得られ、上記信号処理された静止画像データをビットリダクションするビットリダクション手段と、
　上記ビットリダクションされた静止画像データを複数枚分一時記憶するメモリ手段と、
　上記メモリ手段から上記ビットリダクションされた静止画像データを読み出すメモリコントロール手段と、
　上記メモリ手段から読み出された上記ビットリダクションされた静止画像データを所定の記録媒体に順次記録する記録手段と、
　を備え、
　
連続撮影するときに、一時記憶する上記メモリ手段に記憶された静止画像データの、上記記録媒体への記録が完了していないために、上記メモリ手段に静止画像データが残っていることで、
【発明の詳細な説明】
以下の順序で本発明を説明する。
Ａ　産業上の利用分野
Ｂ　発明の概要
Ｃ　従来の技術
Ｄ　発明が解決しようとする課題
Ｅ　課題を解決するための手段
Ｆ　作用
Ｇ　実施例
　Ｇ１８ミリビデオの規格の説明
　Ｇ２ビデオカメラの映像記録・再生部の説明
　Ｇ３ビデオカメラの音声記録・再生部の説明
　Ｇ４静止画像の記録・再生部の説明
　Ｇ５変形例の説明
Ｈ　発明の効果
Ａ　産業上の利用分野
　本発明は、例えばカメラ一体型のＶＴＲに適用して好適な映像信号記録装置に関する。
Ｂ　発明の概要
　本発明は、例えばカメラ一体型のＶＴＲに適用して好適な映像信号記録装置において、撮影により連続して得られる映像信号を動画として連続的に記録すると共に、この記録処理と並行して任意のタイミングで映像信号より得た静止画像信号を記録するようにし、動画と静止画の記録が同時に出来るようにしたもので、この場合に任意のタイミングで撮影した複数枚分の静止画像信号を輝度信号と色信号を生成させて、ビットリダクションした後、映像メモリに記憶させて、この複数枚の静止画の連続的な記録ができ、静止画を一時記憶するメモリの空きが無くなった場合、空きがないことをビューファインダ内に表示するようにしたものである。
Ｃ　従来の技術
　従来、静止画像を電気的な映像信号として記録する記録装置として、磁気ディスクに記録する所謂電子スチルカメラが開発されている。この電子スチルカメラによると、一般の銀塩フィルムによるカメラのように現像等の処理が必要なく、テレビジョン受像機に接続するだけで、撮影した静止画が直ちに見れる利点がある。
Ｄ　発明が解決しようとする課題
　ところが、このような電子スチルカメラにより撮影した静止画は、一般に銀塩フィルムを用いて撮影した静止画に比べ解像度が悪く、より解像度の高い静止画が撮影できる電子スチルカメラの開発が要請されていた。この場合、記録媒体としての磁気ディスクは大きさ等に制約があるため、この磁気ディスクを使用した上での解像度の改善には限度があった。
　このため、記録媒体として半導体メモリを使用し、撮影して得た静止画の映像信号をデジタル信号に変換し、このデジタル映像信号を半導体メモリに記憶させて記録を行うようにし、解像度の高い静止画が得られるようにした電子スチルカメラが既に開発されているが、大容量の半導体メモリが必要で、記録媒体のコストが高く、業務用としてしか使用されていなかった。一方、民生用の映像機器としてビデオテープレコーダ（ＶＴＲ）が普及しており、このＶＴＲを使用して解像度の高い画像を記録出来るようにすることが要請されていた。
　またこの場合において、高解像度の静止画を記録処理するのには時間がかかるのが普通で、連続的に撮影した複数枚の静止画を記録することはできなかった。
　本発明の目的は、比較的簡単な構成で解像度の高い静止画が連続的に記録できるようにすることにある。
Ｅ　課題を解決するための手段
　本発明は、例えば第１図に示すように、静止画像データを出力する撮像手段と、ビューファインダと、静止画像データをデジタル変換するデジタル変換手段と、デジタル変換された静止画像データを処理して輝度信号と色信号を生成する信号処理手段と、撮像手段から任意のタイミングで得られ信号処理された静止画像データをビットリダクションするビットリダクション手段と、ビットリダクションされた静止画像データを複数枚分一時記憶するメモリ手段と、メモリ手段からビットリダクションされた静止画像データを読み出すメモリコントロール手段と、メモリ手段から読み出されたビットリダクションされた静止画像データを所定の記録媒体に順次記録する記録手段とを備え、
連続撮影するときに、一時記憶する上記メモリ手段に記憶された静止画像データの、上記記録媒体への記録が完了していないために、上記メモリ手段に静止画像データが残っていることで、
Ｆ　作用
　このようにしたことで、任意のタイミングで連続的に撮像して得た静止画像データがメモリに一旦記憶され、このメモリから順次読出して記録処理することで、撮像手段が連続的に撮像した静止画像データが磁気テープ等の記録媒体に記録できる。
Ｇ　実施例
　以下、本発明の一実施例を、添付図面を参照して説明する。
Ｇ１８ミリビデオの規格の説明
　本例においては、８ミリビデオテープレコーダと称される規格のビデオカメラを使用したもので、まずこの８ミリビデオテープレコーダの規格について説明する。
　この規格においては、互いに１８０度の角度間隔で設けられた一対の回転ヘッドを用いて記録再生が行われると共に、テープはヘッド回転周面の２２１度の範囲に巻付けられる。そしてこの２２１度の内の１８０度の区間でビデオ信号の記録再生が行われると共に、残りの内の３６度の区間でデジタル（ＰＣＭ）化され時間軸圧縮された音声信号の記録再生が行われるようになっている。
　すなわち第３図は上述の規格によるテープ上の記録トラックのフォーマットであって、ヘッドがテープに対接し始める右側から、まず先端部にヘッドの回転角で５度分の突入部（５１）が設けられ、この突入部（５１）の後半の２．０６度（ビデオ信号の３水平期間（Ｈ）分に相当）の期間は後述するＰＣＭデータに同期するクロックランイン部（５２）が設けられる。このランイン部（５２）に続いて時間軸圧縮された音声信号のＰＣＭデータ部（５３）が２６．３２度にわたって設けられる。このデータ部（５３）に続く２．０６度（３Ｈ）の期間はアフターレコーディング時の記録位置ずれ等に対するバックマージン部（５４）とされ、この後に２．６２度のビデオ部とＰＣＭデータ部とのガード部（５５）が設けられる。そしてこのガード部（５５）に続いて１フィールド分のビデオ信号部（５６）が１８０度にわたって設けられる。さらにこの後に５度分の離間部（５７）が設けられている。
　従ってこの規格において、１フィールドのビデオ信号がビデオ信号部（５６）にて記録再生されると共に、この間の１／６０秒分の音声信号がＰＣＭ化され、誤り訂正等の処理が施された後、約１／６．８に時間軸圧縮されてＰＣＭデータ部（５３）にて記録再生される。この記録トラックがテープの長手方向に順次斜めに設けられて、連続するビデオ信号及び音声信号が記録再生される。
　ところで上述の規格において、ビデオ信号部（５６）の１８０度を５等分するとそれぞれは３６度になる。一方ＰＣＭデータ部（５３）と、突入部（５１）の５度、後続のバックマージン部（５４）の２．０６度及びガード部（５５）の２．６２度を加えるとちょうど３６度である。そこで上述の規格の装置を流用して、音声信号専用の記録再生装置を形成することが提案された。
　第４図はそのための記録トラックのフォーマットの一例を示す。図においてヘッドの対接し始める側の突入部（５１）からガード部（５５）までは上述の規格と同等であって、この区間が第１セグメントとされる。次いで従来のビデオ信号部（５６）の始端側から上述と同じ構成の突入部（６１）及びランイン部（６２）、データ部（６３）、マージン部（６４）、ガード部（６５）が設けられ、この区間が第２セグメントとされる。さらにこの第２セグメントと同様の構成がビデオ信号部（５６）の３６度ごとに繰り返し設けられ、それぞれ第３〜第６セグメントとされる。そしてこの後に５度分の離間部（５７）が設けられる。
　これによって第１〜第６の６つのセグメントが設けられる。そしてこれらの各セグメントに対して、回転ヘッドの回転角位置を検出し、それぞれヘッドの対接始端側から３６度ずつの、所望のセグメント（区間）に対応する時間にＰＣＭデータを出力して記録を行うと共に、再生信号のその時間をゲートして再生を行うことにより、各セグメントをそれぞれ独立に記録再生することができる。なお１度使用されたテープに再記録を行う場合には、いわゆるフライングイレーズヘッドを用いて所望のセグメントの区間にこのヘッドが対接している時間のみ駆動を行うことにより、その区間のみを選択的に消去して再記録を行うことができる。
こうしてテープを幅方向に６分割した各区間ごとにそれぞれ独立にＰＣＭ音声信号を記録再生することができ、例えば４時間３０分の録画の可能なテープを用いてその６倍の２７時間のＰＣＭ音声信号の記録再生を行うことができる。
Ｇ２ビデオカメラの映像記録・再生部の説明
　本例においてはこの第３図及び第４図に示した８ミリビデオテープレコーダの規格のビデオカメラとしたもので、第１図に示す如く構成する。この第１図において、（１）は固体撮像素子としてのＣＣＤイメージャを示し、このＣＣＤイメージャ（１）としては奇数水平ラインの画素の撮像信号と、偶数水平ラインの画素の撮像信号とを個別に読出せる所謂全画素読出し型（特開平１−１８８１７９号公報参照）のものを使用する。この全画素読出し型のＣＣＤイメージャ（１）は、例えば第２図に示す如く、黄Ｙｅ，緑Ｇ，シアンＣｙ等の色フィルタを４９４（垂直）×７６８（水平）個に配してなる色フィルタアレイが配され、この色フィルタアレイの各色フィルタをＣＣＤイメージャ（１）の前面に配された受光素子に対応させ、各色フィルタを通過した色光に基づく信号電荷をそれぞれの受光素子に蓄積させるようにしてある。
　そして、奇数水平ラインの受光素子に蓄積した信号電荷と、偶数水平ラインの受光素子に蓄積した信号電荷とを別のシフトレジスタ（１ａ）及び（１ｂ）から出力させ、シフトレジスタ（１ａ）及び（１ｂ）の出力を出力回路（２）及び（３）に供給する。そして、各出力回路（２）及び（３）でサンプルホールド等の出力処理を行い、出力回路（２）及び（３）が出力する撮像信号をアナログ・デジタル変換器（４）及び（５）に供給し、デジタル撮像信号に変換する。そして、両アナログ・デジタル変換器（４）及び（５）が出力するデジタル撮像信号を撮像信号処理回路（６）及び（７）に供給し、この撮像信号処理回路（６）及び（７）で供給される撮像信号から輝度成分と色差成分とを抽出する。この場合、撮像信号の水平ライン数をｎとすると、撮像信号処理回路（６）では輝度成分Ｙｎと色差成分（Ｒ−Ｙ）ｎ，（Ｂ−Ｙ）ｎとを抽出し、撮像信号処理回路（７）では輝度成分Ｙｎ＋２６３と色差成分（Ｒ−Ｙ）ｎ＋２６３，（Ｂ−Ｙ）ｎ＋２６３とを抽出する。即ち、撮像信号処理回路（６）の出力と撮像信号処理回路（７）の出力とでは、１フィールド分に相当する２６３水平ライン分ずれた信号が時間的に同時に出力される。このため、撮像信号処理回路（６）から奇数フィールドの各ラインの映像信号の輝度成分と色差成分が出力されているとき、撮像信号処理回路（７）から偶数フィールドの各ラインの映像信号の輝度成分と色差成分が出力され、また逆に撮像信号処理回路（６）から偶数フィールドの映像信号の輝度成分と色差成分が出力されているとき、撮像信号処理回路（７）から奇数フィールドの映像信号の輝度成分と色差成分が出力される。
　そして、撮像信号処理回路（６）の出力Ｙｎ，（Ｒ−Ｙ）ｎ，（Ｂ−Ｙ）ｎをそれぞれデジタル・アナログ変換器（８），（９）及び（１０）に供給し、それぞれデジタル信号に変換した後、映像信号処理回路（１１）に供給し、この映像信号処理回路（１１）で輝度成分と色差成分として供給される映像信号を記録用の所定の規格の映像信号に変換し、この映像信号をＲＦ回路（１２）を介して回転ヘッドドラムに装着された磁気ヘッド（１３）に供給し、ビデオテープ（１４）に形成される第３図に示す如き規格のトラックのビデオ信号部（５６）に記録する。この場合には、１本のトラックに１フィールドずつ映像信号を記録する。
　また、ビデオテープ（１４）から磁気ヘッド（１３）で再生した映像信号を、ＲＦ回路（１２）を介して映像信号処理回路（１１）に供給し、この映像信号処理回路（１１）から再生映像信号を出力端子（１５）に供給する。
Ｇ３ビデオカメラの音声記録・再生部の説明
　そして本例においては、端子（２１）に供給されるマイク（図示せず）が拾った音声信号を、ノイズリダクション回路（２２）に供給し、このノイズリダクション回路（２２）でノイズリダクションを行った後、アナログ・デジタル変換器（２３）に供給し、このアナログ・デジタル変換器（２３）でデジタル信号に変換された音声信号を切換スイッチ（２４）の第１の固定接点（２４ａ）に供給する。この切換スイッチ（２４）は、デジタル音声信号記録・再生時には可動接点（２４ｍ）を第１の固定接点（２４ａ）と接続させるようにしてあり、この可動接点（２４ｍ）に得られる信号をデジタルデータ処理回路（２５）に供給し、このデジタルデータ処理回路（２５）でエラー訂正符号の付加等の所定の処理をした後、ＲＦ回路（１２）を介して磁気ヘッド（１３）に供給し、ビデオテープ（１４）に形成される第３図に示す如き規格のトラックのＰＣＭデータ部（５３）に記録する。
　また、ビデオテープ（１４）から磁気ヘッド（１３）で再生したデジタル音声信号を、ＲＦ回路（１２）を介してデジタルデータ処理回路（２５）に供給し、このデジタルデータ処理回路（２５）でエラー訂正等を行った後、切換スイッチ（２４）を介してデジタル・アナログ変換器（２６）に供給する。そして、このデジタル・アナログ変換器（２６）でアナログ音声信号に変換した後、ノイズリダクション回路（２２）でノイズリダクションを行い、処理された音声信号を音声信号出力端子（２７）から出力させる。なお、図示はしないが、音声信号はＦＭ変調された信号の映像信号との周波数多重記録も行われ、デジタル音声信号の上述した記録はオプションとして設けられたもので、必要により記録する。
Ｇ４静止画像の記録・再生部の説明
　そして本例においては、このようにしてデジタル音声信号が記録されるＰＣＭデータ部（５３）に、デジタル音声信号の代わりに静止画像のデジタル映像信号が記録できるようにしてある。なお、このようにデジタル映像信号を記録するようにしたものは、本出願人が特願平２−４６８１６号において先に提案したものである。
　即ち、静止画像の記録モードとなっているときには、撮像信号処理回路（６）及び（７）が出力する映像信号の輝度成分と色差成分（デジタル信号）とをビットリダクション回路（３１）に供給し、このビットリダクション回路（３１）でデータの冗長度を数分の１に短くした後、フレームメモリ（３２）に供給して所定のタイミングで書込ませる。この書込みは、輝度成分Ｙと色差成分（Ｒ−Ｙ），（Ｂ−Ｙ）とでそれぞれ別に行う。この場合、フレームメモリ（３２）は３フレーム分（即ち静止画像３枚分）の映像信号を記憶する容量を有し、メモリコントローラ（３３）により書込み及び読出しが制御され、ビデオカメラが備える静止画記録スイッチ（４２）が１回押されることで１フレーム分の映像信号の書込みが行われる。このため、例えば連続的に静止画記録スイッチ（４２）が押されたときには、最大で３回（３フレーム）まで記憶できる。
　このときの記憶は、撮像信号処理回路（６）と撮像信号処理回路（７）とで、１フィールドずれた映像信号が出力されるため、両処理回路（６）及び（７）の出力を合わせることで１フレーム分の映像信号となってフレームメモリ（３２）に書込まれる。また、ビットリダクション回路（３１）では、データの冗長度を短くするだけで、映像信号の情報量は変化させない。
　そして、フレームメモリ（３２）に一旦記憶された１フレーム分の映像信号を、メモリコントローラ（３３）の制御により、上述したデジタル音声信号の伝送レートに準じた比較的遅い伝送レートで順次読出してシリアル・パラレル変換回路（３４）に供給し、このシリアル・パラレル変換回路（３４）でシリアルデータに変換する。そして、シリアル・パラレル変換回路（３４）が出力するシリアルデータを切換スイッチ（２４）の第２の固定接点（２４ｂ）に供給する。この場合、本例においてはフレームメモリ（３２）に３フレームまで静止画像のデジタル映像信号を記憶できる構成としてあるが、２フレーム或いは３フレームの映像信号がこのフレームメモリ（３２）に記憶されているときには、メモリコントローラ（３３）の制御で、先に書込まれた映像信号から順に、デジタル音声信号の伝送レートに準じた比較的遅い伝送レートで読出させる。
　そして、フレームメモリ（３２）からの読出しを行っているときには、切換スイッチ（２４）の可動接点（２４ｍ）を第２の固定接点（２４ｂ）と接続させ、シリアル・パラレル変換回路（３４）が出力するシリアルデータをデジタルデータ処理回路（２５）に供給する。そして、デジタルデータ処理回路（２５）でデジタル音声信号記録時と同様にエラー訂正符号の付加等の所定の処理をした後、ＲＦ回路（１２）を介して磁気ヘッド（１３）に供給し、ビデオテープ（１４）に形成される第３図に示す如き規格のトラックのＰＣＭデータ部（５３）に、１フレーム分の映像信号を静止画像信号として記録する。
　この場合には、１本のトラックのＰＣＭデータ部（５３）に記録できる容量が少ないので、複数のトラックで１フィールド分の映像信号を記録する。例えば１本のトラックのＰＣＭデータ部（５３）にデジタル音声信号を記録する場合、５００ｋＢＰＳの伝送レートで記録（即ち１秒で５００ｋビットの記録）が行われるとし、撮像信号処理回路（６）及び（７）が出力する１フレーム分の映像信号が輝度と色差合わせて７．６Ｍビットであるとする。そして、ビットリダクション回路（３１）で１／４の圧縮が行われるとすると、フレームメモリ（３２）は１フレーム分の映像信号として１．９Ｍビット記憶する。この１．９Ｍビットの信号を５００ｋＢＰＳの伝送レートで記録すると、１９００÷５００＝３．８となり、３．８秒で１フレーム分の映像信号がＰＣＭデータ部（５３）に記録される。この３．８秒は２２８トラックに相当する。
　また本例においては、フレームメモリ（３２）が３フレームの映像信号を記憶できるようにしてあるが、例えばこの３フレームの映像信号が連続的に記憶されているときには、３．８×３＝１１．４となり、１１．４秒かけてこのフレームメモリ（３２）から読出される。
　そして、このようにして各トラックのＰＣＭデータ部（５３）に記録された静止画像信号としての１フレーム分の映像信号を再生する際には、ビデオテープ（１４）から磁気ヘッド（１３）で再生したデジタル映像信号を、ＲＦ回路（１２）を介してデジタルデータ処理回路（２５）に供給する。そして、このデジタルデータ処理回路（２５）でエラー訂正等を行った後、切換スイッチ（２４）を介してシリアル・パラレル変換回路（３４）に供給する。そして、このシリアル・パラレル変換回路（３４）で再生データをパラレルデータに変換し、このパラレルデータをメモリコントローラ（３３）の制御でフレームメモリ（３２）に書込ませる。
　このときには、１フレーム分の映像信号が記録に要したのと同じ時間（例えば３．８秒）をかけてビデオテープから再生される。
　そして、フレームメモリ（３２）に１フレーム分の映像信号が書込まれると、メモリコントローラ（３３）の制御でフレームメモリ（３２）からビットリダクション回路（３１）に映像信号を読出し、このビットリダクション回路（３１）で元の冗長度のデジタル信号に戻す。このときには、１フレーム分の映像信号を構成する２フィールドの映像信号を実時間で交互に読出させる。即ち、１／３０秒周期で１フレーム分の映像信号を繰り返し読出させる。そして、戻された映像信号の輝度信号Ｙと色差信号（Ｒ−Ｙ），（Ｂ−Ｙ）とを、それぞれデジタル・アナログ変換器（３５），（３６）及び（３７）に供給し、各デジタル・アナログ変換器（３５），（３６）及び（３７）でアナログの輝度信号と色差信号とに変換する。そして、このアナログの輝度信号と色差信号とをエンコーダ（３８）に供給して複合映像信号に変換し、この複合映像信号を出力端子（３９）からモニタ受像機等に供給する。また、各デジタル・アナログ変換器（３５），（３６）及び（３７）が出力するアナログの輝度信号と色差信号とをマトリクス回路（４０）に供給して原色信号Ｒ，Ｇ，Ｂに変換し、この各原色信号Ｒ，Ｇ，Ｂを出力端子（４１Ｒ），（４１Ｇ），（４１Ｂ）からモニタ受像機等に供給する。
　本例のビデオカメラは以上のように構成したことで、デジタル信号化された解像度の高い静止画像が記録される。即ち、静止画像の記録モードとなっているときには、各トラックのＰＣＭデータ部（５３）へのデジタル音声信号の記録が行われず、代わりに任意のタイミングでデジタル信号化された１フレームの映像信号が記録される。この場合、例えばビデオカメラに静止画記録スイッチ（４２）を設けて、連続的なアナログ映像信号を各トラックのビデオ信号部（５６）に記録させている最中に、この静止画記録スイッチ（４２）を押すことで、このスイッチを操作した瞬間の映像信号がデジタル信号としても記録される。例えば第５図に示す如く、通常のアナログ映像信号の記録で、ビデオテープ上に各トラックＴ１，Ｔ２，Ｔ３‥‥が順次形成されているとし、トラックＴ３の記録を行っているタイミングで静止画記録スイッチ（４２）を操作したとすると、このトラックＴ３のビデオ信号部（５６）に記録されるアナログ映像信号と同一の映像のデジタル映像信号のＰＣＭデータ部（５３）への記録が開始される。但し、回路の処理速度によりデジタル信号の記録は数トラック遅れる場合もある。この場合、ＰＣＭデータ部（５３）への１フレーム分の記録は、第５図にハッチングを付して示すように、２２８トラックかけてトラックＴ２３０まで行われ、次のトラックＴ２３１以降の任意のタイミングで再びデジタル信号化された静止画像の記録が可能になる。
　この場合本例においては、フレームメモリ（３２）に３フレーム分の映像信号が記憶できるようにしたので、例えば連続的に静止画像の撮影動作が３回行われたとき、６８４トラック（２２８トラック×３）で連続的にデジタル信号化された静止画像の記録が行われる。即ち、第６図に示すように、或るタイミングで静止画記録スイッチ（４２）が押され静止画の撮影１が行われたとすると、このときＣＣＤイメージャ（１）で撮像した映像信号がフレームメモリ（３２）に書込まれ、直ちにビデオテープのＰＣＭデータ部（５３）への２２８トラックかけた記録（静止画記録１）が開始される。そして、この２２８トラックのＰＣＭデータ部（５３）への記録が終了する前に、静止画記録スイッチ（４２）が２回押され静止画の撮影２及び３が行われたとすると、このときにもＣＣＤイメージャ（１）で撮像した映像信号がフレームメモリ（３２）に書込まれる。そして、静止画記録１が終了すると、撮影２でフレームメモリ（３２）に書込まれた映像信号が読出されてビデオテープに記録される（静止画記録２）。さらに、この静止画記録２が終了すると、撮影３でフレームメモリ（３２）に書込まれた映像信号が読出されてビデオテープに記録される（静止画記録３）。
　この場合、それぞれの映像信号のビデオテープへの記録が終了してフレームメモリ（３２）に空きが生じた時点で、次の静止画の撮影ができる。例えば、静止画記録２が行われている途中で、静止画記録スイッチ（４２）が押された場合（第６図の撮影４）、フレームメモリ（３２）の撮影１で使用したアドレスにこのときの映像信号が書込まれ、静止画記録３が終了してからビデオテープに記録される（静止画記録４）。
　このようにして記録される静止画像はデジタル信号化された１フレームの映像信号であるので、ＣＣＤイメージャ（１）の出力が殆ど劣化なく記録され、ビデオ信号部（５６）に記録されている各フィールドのアナログ映像信号に基づいて静止画再生を行う場合や、従来の電子スチルカメラのようにアナログの１フィールドの映像信号記録を行う場合に比べ、解像度の高い静止画像が再生でき、例えばこの静止画像の再生信号をビデオプリンタに供給することで、解像度の高い静止画像のハードコピーが得られる。この場合、８ミリビデオテープレコーダの規格によるビデオカメラのＰＣＭ音声信号を記録するための構成を利用してデジタル映像信号の記録を行うようにしたので、フレームメモリ等のわずかの回路を追加するだけでデジタル映像信号の記録ができ、記録・再生装置としての構成を簡単にでき、また記録媒体としてビデオテープの本来映像信号の記録に使用しないサブ領域を使用するので、無駄のない効率の良い記録が行われる。
　そして本例においては、静止画記録のためのフィールドメモリ（３２）が３フィールド分映像信号を記憶できるようにしたので、３枚の静止画まで連続的に撮影したものを記録することができ、通常のスチルカメラと同様に連続撮影ができる。なお、短時間に３回以上連続的に静止画記録スイッチ（４２）が押されたときには、メモリ容量を越えてしまい全ての記録はできないが、この旨をビューファインダ内等に表示するようにしても良い。
　また、ビットリダクション回路（３１）によるビットリダクションでデジタル映像信号の冗長度を圧縮させてからビデオテープに記録するようにしたので、１フィールド分のデータ量が少なく、比較的短時間に効率良く記録ができる。なお、このビットリダクションは、フレームメモリで行うようにしても良い。
Ｇ５変形例の説明
　なお上述実施例においては、動画としてのアナログ映像信号の連続的な記録と同時に静止画としてのデジタル映像信号を記録するようにしたが、ビデオテープのビデオ信号部（５６）にはダミーの映像信号（例えば映像情報を持たない同期信号だけの信号）を記録し、静止画としてのデジタル映像信号だけを記録するようにしても良い。
　この場合、フィールドメモリ（３２）の容量を越える連続撮影があった場合には、ビデオ信号部（５６）にアナログの映像信号を記録するようにしても良い。即ち、例えば３．８秒以内に４回連続的に静止画記録スイッチ（４２）が押されたときには、最初の３回までは押されたタイミングで１フレームずつフィールドメモリ（３２）に書込まれ順次ＰＣＭデータ部（５３）に記録される。ところが、最後の４回目に押されたタイミングでは、フィールドメモリ（３２）に空きがなく書込めないので、代わりにビデオ信号部（５６）に通常の動画の記録系回路を使用して１フィールド又は１フレームのアナログ映像信号を書込むようにすれば、解像度は低下するが静止画記録ができる。例えば、第７図に示すように、フィールドメモリ（３２）に空きがない状態で、トラックＴ３〜Ｔ２３０のＰＣＭデータ部（５３）にデジタル映像信号を記録しているとし、トラックＴ２２８を記録する直前に静止画記録スイッチ（４２）が押されたとき、トラックＴ２２８のビデオ信号部（５６）に現在撮影したアナログ映像信号を１フィールドだけ記録するようにする。このとき、トラックＴ２２８のＰＣＭデータ部（５３）には、特殊なＩＤデータを記録し、このアナログ記録による静止画像がサーチ等で容易にさがせるようにしておく。
　また、第４図に示した８ミリビデオテープレコーダのマルチセグメントＰＣＭの規格を用いて、静止画としてのデジタル映像信号だけを記録するようにしても良い。この場合には、第１〜第６のセグメントをそれぞれ個別のチャンネルとして、６チャンネル個別に静止画を記録するように構成する他に、第１〜第６のセグメントを連続的に使用して１フレーム分のデジタル映像信号をより短時間で記録できるようにしても良い。
　また上述実施例においては、ビデオカメラが備える撮像手段として、１フレーム分の全画素の撮像信号が１フィールド期間で出力できるＣＣＤイメージャ（１）を使用したので、１フレームの映像信号が容易に得られ、１フレームの映像信号をデジタル信号化して記録するようにしたが、撮像手段として１フィールドの撮像信号しか得られないものを使用した場合には、１フィールド分のデジタル映像信号だけを静止画信号として記録するようにしても良い。この場合には、メモリ（３２）が３フレーム（６フィールド）の容量を有しているので、６枚分の静止画を記録でき、６枚までの連続的な静止画撮影ができる。
　但しこのフィールド記録の場合には、記録映像信号の垂直解像度がフレーム記録の場合の１／２に低下する。
　また上述実施例においては、静止画記録のためのメモリ（３２）として、３フレーム分記憶できるものを使用したが、少なくとも２枚の静止画が記憶できる容量があれば連続的な撮影ができる。また、３フレーム分以上の記憶容量のメモリを使用しても良いことは勿論である。
また、ビデオカメラによる撮像信号をデジタル映像信号として記録するようにしたが、ＶＴＲ等の他の映像機器から供給される映像信号を１フレーム分或いは１フィールド分記録するようにしても良い。
　さらにまた、本発明は上述実施例に限らず、その他種々の構成が取り得ることは勿論である。
Ｈ　発明の効果
　本発明によると、静止画像としての映像信号が動画としての映像信号と同時に記録され、静止画像の記録が簡単な構成で効率よく行われる。そしてこの場合に、連続的に撮影した静止画像の記録ができ、任意のタイミングで連続的に静止画撮影できる。
【図面の簡単な説明】
　第１図は本発明の一実施例を示す構成図、第２図は一実施例のイメージャの例を示す説明図、第３図及び第４図は８ミリビデオの規格を示す説明図、第５図は一実施例による記録トラックを示す説明図、第６図は一実施例による記録タイミングを示す説明図、第７図は本発明の一実施例の変形例による記録トラックを示す説明図である。
（１）はＣＣＤイメージャ、（４）及び（５）はアナログ・デジタル変換器、（６）及び（７）は撮像信号処理回路、（１４）はビデオテープ、（３１）はビットリダクション回路、（３２）はフレームメモリ、（３３）はメモリコントローラ、（３４）はシリアル・パラレル変換回路、（３５），（３６）及び（３７）はデジタル・アナログ変換器、（４２）は静止画記録スイッチである。